(57)【要約】【課題】収納部に収納された電気機器をコンセントに接続することができ、且つ、収納容量を十分に確保できるキャビネットを提供する。【解決手段】キャビネット１は、前面に開口２６が形成された収納部と、プラグ差込部を有するコンセント６とを備える。収納部の側板２０，２１、底板、天板又は背板２４のいずれかで構成される板状部材３０に厚み方向に貫通した貫通孔３１が形成される。貫通孔３１にコンセント６が配置される。プラグ差込部が収納部の内側に臨む。【選択図】図４
2019063258.tif 000002
【特許請求の範囲】
【請求項１】
前面に開口が形成された収納部と、
プラグ差込部を有するコンセントとを備え、
前記収納部の側板、底板、天板又は背板のいずれかで構成される板状部材に厚み方向に貫通した貫通孔が形成されており、この貫通孔に前記コンセントが配置され、前記プラグ差込部が前記収納部の内側に臨んだキャビネット。
【請求項２】
前記コンセントが前記板状部材よりも前記収納部の外側に向かって突出した請求項１に記載のキャビネット。
【請求項３】
照明装置をさらに備え、
前記板状部材は前記側板であり、
前記照明装置が前記板状部材の外面に沿って配置されており、
前記コンセントにおいて前記板状部材よりも前記収納部の外側に向かって突出した部分が、前記照明装置の後方に配置された請求項２に記載のキャビネット。
【請求項４】
照明装置と、
前記コンセントに接続される電線とをさらに備え、
前記板状部材は前記側板であり、
前記照明装置が前記板状部材の外面に沿って配置されており、
前記電線が前記照明装置の後方に配置される請求項１又は請求項２に記載のキャビネット。
【請求項５】
前記コンセントは、
一端部にプラグ差込部が形成されたコンセント本体と
前記一端部が嵌め込まれる窓部が形成されたコンセントプレートとを有し、
前記コンセントプレートが前記板状部材の内面に沿って配置され、
前記コンセント本体が前記貫通孔に配置された請求項１〜４のいずれか１項に記載のキャビネット。
【請求項６】
前記開口を開閉する鏡扉をさらに備えた請求項１〜５のいずれか１項に記載のキャビネット。
【発明の詳細な説明】
【技術分野】
【０００１】
本発明はキャビネットに関する。
【背景技術】
【０００２】
特許文献１には、洗面化粧台が開示されている。この洗面化粧台は、電気機器に給電するための電源コンセントが、キャビネットの下方の機器設置空間を覆うカバー部に設置されている。
【先行技術文献】
【特許文献】
【０００３】
【特許文献１】特開２０１４−３０６４８号公報
【発明の概要】
【発明が解決しようとする課題】
【０００４】
前記電源コンセントは、キャビネットの下方に位置するカバー部に設置されている。このため、電気機器がキャビネットの収納空間に収納された状態において、当該電気機器のプラグを電源コンセントに接続することが容易ではない。また、キャビネットとは別に電源コンセントを設置するためのスペースが必要になるため、キャビネットのサイズが小さくなって、キャビネットの収納容量が小さくなりやすい。
【０００５】
本発明は前記事情に鑑みてなされたものであって、収納部に収納された電気機器をコンセントに接続することができ、且つ、収納容量を十分に確保できるキャビネットを提供することを目的とする。
【課題を解決するための手段】
【０００６】
前記目的を達成するために本発明に係る一態様のキャビネットは、以下に示す特徴を有する。キャビネットは、前面に開口が形成された収納部と、プラグ差込部を有するコンセントとを備える。前記収納部の側板、底板、天板又は背板のいずれかで構成される板状部材に厚み方向に貫通した貫通孔が形成される。前記貫通孔に前記コンセントが配置される。前記プラグ差込部が前記収納部の内側に臨む。
【発明の効果】
【０００７】
本発明に係る一態様のキャビネットは、収納部に収納された電気機器をコンセントに接続することができ、且つ、収納容量を十分に確保できる。
【図面の簡単な説明】
【０００８】
【図１】図１は、本発明に係る一実施形態のキャビネットを備えた洗面化粧台の正面図である。
【図２】図２は、同上のキャビネットの箱体及び扉を示した斜視図である。
【図３】図３は、同上の箱体を示した斜視図である。
【図４】図４は、図３のＡ-Ａ線断面図である。
【図５】図５は、同上の扉を開いた状態における箱体の正面図である。
【発明を実施するための形態】
【０００９】
以下に示す実施形態は、キャビネットに関し、詳しくは、コンセントを有するキャビネットに関する。
【００１０】
本実施形態のキャビネット１は、図１に示すように、洗面台７の上方に設置され、洗面台７と併せて洗面化粧台８を構成する。
【００１１】
洗面化粧台８は、部屋の壁９０に沿って設置される。以下、洗面化粧台８について、設置状態における方向を用いて説明する。具体的には、洗面化粧台８から壁９０側に向かう方向を後方とし、洗面化粧台８から壁９０と反対側に向かう方向を前方とする。また、洗面化粧台８を前方から見たときを基準にして、左右方向を定義する。
【００１２】
洗面台７は、壁９０に沿った状態で床９１の上に設置される。洗面台７は、洗面台７の上面を構成するカウンター７０と、カウンター７０に設けられた洗面ボウル７１と、洗面ボウル７１に水を供給するための水栓７２とを備えている。
【００１３】
キャビネット１は、複数の箱体２と、複数の扉４と、複数の照明装置５とを備えている。本実施形態のキャビネット１は、三面鏡として利用されるミラーキャビネットであり、３個の箱体２と、３枚の扉４と、左右一対の照明装置５とを備えている。
【００１４】
複数の箱体２は、左右方向に並んだ状態で、壁９０に取り付けられる。各箱体２は共通の構成を有している。このため、以下では、各箱体２の共通する構成については、複数の箱体２のうちの左右方向の中央に配置される箱体２を示した図３に基づいて説明する。
【００１５】
各箱体２は、前方に開口した箱状に形成されている。本実施形態では、各箱体２が物品を収納するための収納部を構成している。
【００１６】
図３に示すように、各箱体２は、左右の側板２０，２１、底板２２、天板２３及び背板２４を備えている。左右の側板２０，２１、底板２２、天板２３及び背板２４の各々は、木製であって、矩形板状に形成されている。
【００１７】
左右の側板２０，２１の各々の厚み方向は、左右方向と平行である。底板２２及び天板２３の各々の厚み方向は、上下方向と平行であり、背板２４の厚み方向は、前後方向と平行である。
【００１８】
左右の側板２０，２１は、左右方向に間隔をあけて配置されており、対向している。底板２２は、左右の側板２０，２１の下部の間に配置されており、左右両端部が左右の側板２０，２１にそれぞれ連結されている。天板２３は、左右の側板２０，２１の上部の間に配置されており、左右両端部が左右の側板２０，２１にそれぞれ連結されている。背板２４は、外周端部が、左右の側板２０，２１の後端部、底板２２の後端部及び天板２３の後端部に連結されている。
【００１９】
左右の側板２０，２１は、箱体２の左右の側壁をそれぞれ構成している。底板２２、天板２３及び背板２４は、箱体２の底部、頂部及び後壁をそれぞれ構成している。箱体２の内側には、左右の側板２０，２１、底板２２、天板２３及び背板２４で囲まれた収納空間２５が形成されている。
【００２０】
箱体２の前面には、左右の側板２０，２１の前端部、天板２３の前端部及び背板２４の前端部で囲まれた開口２６が形成されており、収納空間２５は開口２６を介して前方に開放される。
【００２１】
各箱体２の外面は、左右の側板２０，２１の外面、底板２２の下面、天板２３の上面及び背板２４の後面で構成されている。各箱体２の内面は、左右の側板２０，２１の内面、底板２２の上面、天板２３の下面及び背板２４の前面で構成されている。
【００２２】
本実施形態のキャビネット１は、各箱体２の収納空間２５に適宜配置される棚板２７をさらに備えている。棚板２７は、各箱体２に１枚又は複数枚配置される。棚板２７は、その左右両端部がダボ等を用いて左右の側板２０，２１にそれぞれ連結され、左右の側板２０，２１の間に架け渡される。
【００２３】
複数の箱体２には、図１に示す複数の扉４がそれぞれ回転可能に連結される。各扉４は、対応する箱体２の開口２６（図３参照）を開閉する。
【００２４】
本実施形態の各扉４は、鏡扉であって、図４に示すように、板状の扉本体４０と、扉本体４０の前面に取り付けられ扉本体４０の前面全体に亘る鏡４１とを有している。
【００２５】
各扉４の扉本体４０の左右方向の一端部は、対応する箱体２における側板２０の前端部又は側板２１の前端部に、ヒンジ（図示せず）を介して、縦軸回りに回転可能に連結されている。具体的に３枚の扉４のうちの左右方向における中央に配置された扉４は、中央の箱体２の左側の側板２０に回転可能に連結される。また、左側に配置された扉４は、左側の箱体２の右側の側板２１に回転可能に連結され、右側に配置された扉４は、右側の箱体２の左側の側板２０に回転可能に連結される。
【００２６】
図３に示すように、中央の箱体２の左右の側板２０，２１の下端部は、底板２２よりも下方に突出している。中央の箱体２の下方には、中央の箱体２の底板２２と左右の側板２０，２１の下端部とで囲まれた機器設置空間２８が形成されている。
【００２７】
本実施形態のキャビネット１は、電源ボックス１０及びコンセントボックス１６をさらに備えている。
【００２８】
電源ボックス１０及びコンセントボックス１６は、機器設置空間２８に左右方向に並んだ状態で設置される。電源ボックス１０は、中央の箱体２の左側の側板２０（扉４が連結された側板２０）の下端部に沿って配置される。コンセントボックス１６は、中央の箱体２の右側の側板２１の下端部に沿って配置され、電源ボックス１０と左右方向において隣接する。
【００２９】
電源ボックス１０及びコンセントボックス１６は、図２に示すように、中央の扉４によって前方が覆われる。
【００３０】
図３に示す電源ボックス１０は、電線（図示せず）を介して商用電源等の外部電源に電気的に接続される。コンセントボックス１６の前面は、電源ボックス１０の前面よりも後方に位置している。
【００３１】
コンセントボックス１６は、ヘアドライヤー等の電気機器（図示せず）に電力を供給するための電源コンセントである。図５に示すように、コンセントボックス１６は、電線１１を介して電源ボックス１０に電気的に接続される。以下、電線１１を第１電線１１という。第１電線１１は、電源ボックス１０及びコンセントボックス１６の後方に位置しており、前方に露出しない。図３に示すように、コンセントボックス１６の前面には、複数のプラグ差込口１７が形成されている。
【００３２】
図２に示すように中央の扉４が閉じた状態にあるとき、中央の扉４と図３に示すコンセントボックス１６の前面との間には、下方に開放された隙間１８が形成される。利用者は、電気機器のプラグを、隙間１８の下方から隙間１８を通じてプラグ差込口１７に差し込むことで、コンセントボックス１６から電気機器に電力を供給することができる。
【００３３】
キャビネット１は、中央の箱体２の内部に収納された電気機器に電力を供給するためのコンセント６をさらに備えている。
【００３４】
コンセント６は、箱体２の側板２０，２１、底板２２、天板２３又は背板２４のいずれかで構成される板状部材３０に設置される。本実施形態の板状部材３０は、中央の箱体２における右側の側板２１である。
【００３５】
図４に示すように、板状部材３０（側板２１）には、板状部材３０の厚み方向（左右方向）に貫通した貫通孔３１が形成されている。コンセント６は貫通孔３１に配置された状態で、板状部材３０に取り付けられる。
【００３６】
コンセント６は、電源コンセントである。本実施形態のコンセント６は、プラグ差込部６０（図３参照）を有するコンセント本体６１と、コンセント本体６１が取り付けられたコンセントプレート６２とを備えている。コンセントプレート６２は板状部材３０の内面に沿って配置され、コンセント本体６１は貫通孔３１に配置される。
【００３７】
コンセント本体６１は、筐体６３と、筐体６３に内蔵された電気接続部（図示せず）とを備えている。図３に示すように、筐体６３には、複数のプラグ差込部６０が形成されている。本実施形態では、筐体６３における左側（箱体６６の内側）の端部に、左側に向かって突出した嵌込突部６４が上下方向に複数形成されており、各嵌込突部６４にプラグ差込部６０が形成されている。
【００３８】
各プラグ差込部６０は、複数の差込孔６００で構成されている。各プラグ差込部６０の複数の差込孔６００には、電気機器のプラグが有する複数の電極をそれぞれ差し込むことができる。
【００３９】
本実施形態のコンセント本体６１は、複数のプラグ差込部６０にそれぞれ対応する複数の前記電気接続部を有しており、各電気接続部は、複数の端子で構成されている。各電気接続部の複数の端子には、対応するプラグ差込部６０の複数の差込孔６００に差し込まれた複数の電極が、それぞれ電気的に接続される。
【００４０】
本実施形態のコンセントプレート６２は、長手方向が上下方向と平行な矩形板状に形成されている。コンセントプレート６２には、窓部６５が形成されている。本実施形態の窓部６５は、コンセントプレート６２において上下方向に並んだ複数の嵌込孔６５０で構成されている。各嵌込孔６５０はコンセントプレート６２の厚み方向に貫通している。
【００４１】
コンセント本体６１の複数の嵌込突部６４は、コンセントプレート６２の複数の嵌込孔６５０にそれぞれ嵌め込まれている。コンセント本体６１はこの状態でコンセントプレート６２に取り付けられている。
【００４２】
コンセント６は、板状部材３０の内面に沿って配置されたコンセントプレート６２が、ねじ等の固着具（図示せず）により板状部材３０に固定されることで、板状部材３０に取り付けられる。このように板状部材３０にコンセント６が取り付けられたとき、コンセント６の複数のプラグ差込部６０は、収納部の内側に臨む。
【００４３】
図４に示すように、コンセント本体６１（筐体６３）における右側（中央の箱体２の外側）の端部は、板状部材３０よりも右側に突出する。すなわち、コンセント本体６１は、板状部材３０よりも右側に突出した突出部分６６を有する。
【００４４】
本実施形態のキャビネット１は、図５に示すように、コンセント６と、電源ボックス１０とを電気的に接続する電線１２をさらに備えている。以下、この電線１２を第２電線１２という。
【００４５】
第２電線１２は、第１部分１２１と第２部分１２２とを有している。第１部分１２１は、電源ボックス１０からコンセントボックス１６の後方を通過し、板状部材３０の下端部を貫通して板状部材３０の外面側に導出される。第２部分１２２は、第１部分１２１の電源ボックス１０とは反対側の端から板状部材３０の外面に沿って上方に延び、第１部分１２１とは反対側の端がコンセント本体６１の突出部分６６から筐体６３の内部に導入される。
【００４６】
利用者は、図３に示す中央の箱体２に収納された電気機器のプラグを、コンセント６のプラグ差込部６０に差し込むことにより、コンセント６から電気機器に電力を供給することができる。このため、電気シェーバー又は電動歯ブラシ等の電気機器を中央の箱体２に収納した状態で、当該電気機器の充電等を行うことが可能になる。
【００４７】
本実施形態のコンセント６は、図４に示すように、板状部材３０の貫通孔３１に配置されるので、板状部材３０から左側（箱体２の内側）に向かって大きく突出し難い。このため、中央の箱体２の収納空間２５を十分に確保することができる。また、コンセント６で発生した熱を、貫通孔３１を介して箱体２の外部に逃がすこともでき、コンセント６は高温になり難い。
【００４８】
また、コンセント本体６１は、板状部材３０よりも右側に突出した突出部分６６を有する。このため、本実施形態のようにコンセント本体６１の左右長さが、板状部材３０の厚みよりも長い場合にも、コンセント６を板状部材３０から左側に向かって大きく突出しないように設置することができる。
【００４９】
図３に示すように、中央の箱体２の左右の側板２０，２１には、一対の照明装置５がそれぞれ取り付けられる。一対の照明装置５は、それぞれ中央の箱体２の左右の側板２０，２１の外面に沿って配置される。すなわち、一対の照明装置５のうちの一方は、中央の箱体２と左側の箱体２との間に配置され、他方は、中央の箱体２と右側の箱体２との間に配置される。
【００５０】
各照明装置５は、長手方向が上下方向と平行な直線状に形成されている。各照明装置５は、対応する側板２０，２１の上下方向の全長に亘る。各照明装置５は、光源５０から照射された光を導光部材５１（図４参照）に導入し、この光を導光部材５１の前面から出射することで、導光部材５１の前方を照明する。
【００５１】
図４に示すように、本実施形態の各照明装置５は、対応する側板２０，２１に取り付けられるベース５２と、ベース５２に組み込まれた導光部材５１と、ベース５２に対して固定された光源５０（図３参照）とを有している。
【００５２】
ベース５２は、長手方向が上下方向と平行な直線状に形成されている。ベース５２は、対応する側板２０，２１の前部の外面に沿って配置され、ねじ等の固着具（図示せず）により対応する側板２０，２１に取り付けられる。
【００５３】
ベース５２には、図４に示すように前方に開口した嵌込溝部５３が、ベース５２の上下方向の全長に亘って形成されている。嵌込溝部５３には導光部材５１が嵌め込まれている。
【００５４】
導光部材５１は、例えばアクリル樹脂やポリカーボネート樹脂等の透明な樹脂から形成される。本実施形態の導光部材５１は、長手方向が上下方向と平行な直線状に形成されており、ベース５２の上下方向の全長に亘っている。
【００５５】
導光部材５１は、光が入射する入光部５４（図３参照）と、入光部５４から入射した光を出射する出光部５５とを備えている。本実施形態では、入光部５４が導光部材５１の上端面で構成され、出光部５５が導光部材５１の前面で構成されている。
【００５６】
導光部材５１の後面には、入光部５４から入射した光が、導光部材５１の前面（出光部５５）の全体から均一に出射されるように、入光部５４から入射した光を拡散して反射する拡散反射部５６が設けられている。拡散反射部５６は、例えば導光部材５１の後面に形成された溝又は微細な凹凸、あるいは、導光部材５１の後面に印刷、蒸着又は二色成形等によって設けられた反射性を有する物質である。
【００５７】
本実施形態の各照明装置５は、ベース５２に取付けられる表面カバー５７をさらに備えている。表面カバー５７は透光性を有している。表面カバー５７は、導光部材５１の前方に配置され、導光部材５１の出光部５５を覆う。出光部５５から前方に出射された光は、表面カバー５７を透過して表面カバー５７の前方に出る。
【００５８】
図３に示すように本実施形態の各照明装置５は、一対のキャップ５８と、回路基板（図示せず）とをさらに備えている。一対のキャップ５８は、ベース５２の上下両端部にそれぞれ取り付けられている。ベース５２の上端部には、前記回路基板が取り付けられており、この回路基板は一対のキャップ５８のうちの上側のキャップ５８で覆われている。
【００５９】
光源５０は、１又は複数のＬＥＤ（light emitting diode)で構成されている。本実施形態の光源５０は前記回路基板に実装されており、これにより、導光部材５１の入光部５４に対向する位置に配置されている。
【００６０】
光源５０から発せられた光は、入光部５４から導光部材５１に入射した後、導光部材５１の左右の側面又は出光部５５に当たって繰り返し全反射しつつ、入光部５４とは反対側の端部に向かって進む。この過程において、前記光が図４に示す拡散反射部５６に当たると、この光は拡散反射部５６で拡散反射され、これにより、出光部５５から前方に出射される。
【００６１】
一対の照明装置５のうちの右側の照明装置５（板状部材３０に取り付けられた照明装置５）は、コンセント６の突出部分６６の前方に配置される。このため、コンセント６の突出部分６６は、右側の照明装置５によって前方が覆われる。
【００６２】
また、右側の照明装置５は、図５に示すように、コンセント６に接続された第２電線１２の第２部分１２２の前方に配置される。このため、第２部分１２２は、右側の照明装置５によって前方が覆われる。また、第２電線１２の第１部分１２１は、前方に位置するコンセントボックス１６で覆われる。
【００６３】
本実施形態のキャビネット１は、各照明装置５を操作するための操作ユニット１９を備えている。操作ユニット１９は、中央の扉４の扉本体４０に取り付けられる。操作ユニット１９は、利用者が手を扉４の前面側から扉４に近づけたときにこの手を検知するセンサー（図示せず）と、このセンサーの検知結果に基づいて各照明装置５を制御する制御回路（図示せず）とを備えている。
【００６４】
キャビネット１は、操作ユニット１９と電源ボックス１０とを電気的に接続する電線１３と、操作ユニット１９と左側の照明装置５とを電気的に接続する電線１４と、操作ユニット１９と右側の照明装置５とを電気的に接続する電線１５とをさらに備えている。以下、電線１３を第３電線１３といい、電線１４を第４電線１４といい、電線１５を第５電線１５という。
【００６５】
第３電線１３は、第１部分１３１、第２部分１３２及び第３部分１３３を有している。第１部分１３１は、電源ボックス１０から、中央の箱体２の左側の側板２０を貫通して当該側板２０の左側（外面側）に導出される。第２部分１３２は、第１部分１３１の電源ボックス１０とは反対側の端から、中央の箱体２の左側の側板２０の外面に沿って上方に延びる。
【００６６】
第３部分１３３は、第２部分１３２の第１部分１３１とは反対側の端から、中央の箱体２の左側の側板２０を貫通して中央の箱体２の内側に延びる。第３部分１３３は、中央の箱体２の内側に延びた後、中央の扉４の扉本体４０を貫通して扉本体４０と鏡４１との間に導入される。第３部分１３３は、扉本体４０と鏡４１との間に導入された後、当該扉本体４０と鏡４１との間において下方に延びて操作ユニット１９に接続される。
【００６７】
第３電線１３の第２部分１３２は、一対の照明装置５のうちの左側の照明装置５の後方に配置される。このため、第２部分１３２は左側の照明装置５によって前方が覆われる。
【００６８】
第４電線１４は、第１部分１４１及び第２部分１４２を有している。第１部分１４１は、操作ユニット１９から中央の扉４の扉本体４０と鏡４１との間において上方に延びた後、扉本体４０を貫通して中央の箱体２の内側に向かって延びる。
【００６９】
第２部分１４２は、第１部分１４１の操作ユニット１９とは反対側の端から、中央部の箱体２の左側の側板２０を貫通して当該側板２０の左側に導出され、この後、左側の照明装置５の回路基板に接続される。
【００７０】
第５電線１５は、第１部分１５１及び第２部分１５２を有している。第１部分１５１は、操作ユニット１９から中央の扉４の扉本体４０と鏡４１との間において上方に延びた後、扉本体４０を貫通して中央の箱体２の内側に向かって延びる。
【００７１】
第２部分１５２は、第１部分１５１の操作ユニット１９とは反対側の端から中央の箱体２の左側の側板２０を貫通して当該側板２０の左側に導出され、この後、中央の箱体２の背板２４の後方を通って、右側の照明装置５の回路基板に接続される。
【００７２】
なお、本実施形態のキャビネット１は適宜設計変更可能である。例えば、本実施形態においてコンセント６が設置される板状部材３０は、中央の箱体２の右側の側板２１であるが、中央の箱体２の左側の側板２０、底板２２、天板２３又は背板２４であってもよい。
【００７３】
また、キャビネット１が備える箱体２（収納部）の数は、３個に限られない。例えば、キャビネット１は、箱体２を１個だけ備えてもよいし、箱体２を２個だけ備えてもよい。また、キャビネット１は、箱体２を４個以上備えてもよい。
【００７４】
また、例えば箱体２の内部が、棚板２７又は縦板からなる仕切板で仕切られた場合、コンセント６は仕切板に設けられてもよい。すなわち、この場合、箱体２には、前記仕切板により前方に開口した収納部が複数形成され、これら複数の収納部のうちの任意の収納部の内面を構成する仕切板が、板状部材３０となる。
【００７５】
また、本実施形態のコンセント６は、突出部分６６の全体が前方から照明装置５で覆われているが、突出部分６６の一部のみが前方から照明装置５で覆われてもよい。また、本実施形態の第２電線１２は、第２部分のみが前方から照明装置５で覆われているが、第２電線１２の全体が前方から照明装置５で覆われてもよい。
【００７６】
また、コンセント６の突出部分６６及び第２電線１２の第２部分１２２は、照明装置５以外の機器又はカバー材等の部材によって前方が覆われてもよい。また、コンセント６の突出部分６６の前方及び第２電線１２の第２部分１２の前方は、覆われなくてもよい。
【００７７】
また、本実施形態のコンセント６は、板状部材３０よりも外側に向かって突出した突出部分６６を有しているが、コンセント本体６１の左右長さが、貫通孔３１の左右長さよりも短い場合等は、突出部分６６を有さなくてもよい。
【００７８】
また、コンセント６は、プラグ差込部６０を一つだけ備えてもよい。また、コンセント６は、コンセントプレート６２を有さないコンセントであってもよい。また、コンセント６は、電源コンセントに限られず、例えばモジュラーコンセントやＬＡＮコンセント等であってもよい。
【００７９】
また、各キャビネット１が備える、左右の側板２０，２１、底板２２、天板２３及び背板２４の各々は、木製に限られず、樹脂製又は金属製であってもよい。
【００８０】
また、照明装置５の光源５０は、ＬＥＤに限定されず、例えば、有機エレクトロルミネッセンス、白熱電球又は蛍光灯等であってもよい。また、照明装置５は従来から知られている照明装置であってもよい。例えば、照明装置５は、光源として、上下方向に並ぶ複数のＬＥＤ、あるいは、上下方向に延びた蛍光灯等を備え、この光源から直接光を照射する照明装置であってもよい。
【００８１】
また、キャビネット１が備える照明装置５の数は、２個に限られず、１個であってもよいし、３個以上であってもよい。また、キャビネット１は照明装置５を備えなくてもよい。
【００８２】
また、キャビネット１は棚板２７を備えなくてもよい。また、キャビネット１は、扉４を備えなくてもよい。また、キャビネット１は、洗面化粧台８が備えるキャビネット１に限定されず、ミラーキャビネット以外のキャビネットであってもよい。
【００８３】
以上説明した実施形態のキャビネット１は、以下に示す特徴を有する。キャビネット１は、前面に開口２６が形成された収納部（中央の箱体２）と、プラグ差込部６０を有するコンセント６とを備える。収納部の側板２０，２１、底板２２、天板２３又は背板２４のいずれかで構成される板状部材３０に厚み方向に貫通した貫通孔３１が形成される。貫通孔３１にコンセント６が配置される。プラグ差込部６０が収納部の内側に臨む。以下、この特徴を有するキャビネット１を第１の態様のキャビネット１という。
【００８４】
第１の態様のキャビネット１におけるコンセント６は、プラグ差込部６０が収納部の内側に臨むように設置される。このため、収納部に収納される電気機器のプラグをプラグ差込部６０に差し込んでコンセント６に接続することができる。また、コンセント６は板状部材３０の貫通孔３１に配置されるため、コンセント６を板状部材３０から収納部の内側に向かって大きく突出しないように設置することができる。このため、収納部の収納容量を十分に確保することができる。
【００８５】
また、前記実施形態のキャビネット１は、第１の態様のキャビネット１が有する特徴に加えて、以下に示す付加的な特徴を有する。コンセント６が板状部材３０よりも収納部の外側に向かって突出する。以下、このキャビネット１を第２の態様のキャビネット１という。
【００８６】
第２の態様のキャビネット１は、コンセント６のサイズが、板状部材３０の厚みの範囲内に納まらないサイズであっても、コンセント６を板状部材３０から収納部の内側に向かって大きく突出しないように設置することができる。
【００８７】
また、前記実施形態のキャビネット１は、第２の態様のキャビネット１が有する特徴に加えて、以下に示す付加的な特徴を有する。キャビネット１は、照明装置５をさらに備える。板状部材３０は側板２１である。照明装置５が板状部材３０の外面に沿って配置される。コンセント６において板状部材３０よりも収納部の外側に向かって突出した部分（突出部分６６）が、照明装置５の後方に配置される。以下、このキャビネット１を第３の態様のキャビネット１という。
【００８８】
第３の態様のキャビネット１は、照明装置５によりコンセント６の突出部分６６を前方から覆い隠すことができる。
【００８９】
また、前記実施形態のキャビネット１は、第１又は第２の態様のキャビネット１が有する特徴に加えて、以下に示す付加的な特徴を有する。キャビネット１は、照明装置５と、コンセント６に接続される電線１２（第２電線１２）とをさらに備える。板状部材３０は側板２１である。照明装置５が板状部材３０の外面に沿って配置される。電線１２が照明装置５の後方に配置される。以下、このキャビネット１を第４の態様のキャビネット１という。
【００９０】
第４の態様のキャビネット１は、照明装置５により電線１２を前方から覆い隠すことができる。
【００９１】
また、前記実施形態のキャビネット１は、第１〜第４のいずれかの態様のキャビネット１が有する特徴に加えて、以下に示す付加的な特徴を有する。コンセント６は、一端部にプラグ差込部６０が形成されたコンセント本体６１と、前記一端部が嵌め込まれる窓部６５が形成されたコンセントプレート６２とを有する。コンセントプレート６２が板状部材３０の内面に沿って配置される。コンセント本体６１が貫通孔３１に配置される。以下、このキャビネット１を第５の態様のキャビネット１という。
【００９２】
第５の態様のキャビネット１にあっては、コンセント本体６１の一端部が、コンセントプレート６２の窓部６５に嵌め込まれたコンセント６を、板状部材３０から収納部の内側に向かって大きく突出しないように設置することができる。
【００９３】
また、前記実施形態のキャビネット１は、第１〜第５のいずれかの態様のキャビネット１が有する特徴に加えて、以下に示す付加的な特徴を有する。キャビネット１は、開口２６を開閉する鏡扉（扉４）をさらに備える。以下、このキャビネット１を第６の態様のキャビネット１という。
【００９４】
第６の態様のキャビネット１は、ミラーキャビネットとして利用することができる。
【符号の説明】
【００９５】
１  キャビネット
１２  第２電線（電線）
２  箱体（収納部）
２０  側板
２１  側板
２２  底板
２３  天板
２４  背板
２６  開口
３０  板状部材
３１  貫通孔
４  扉
５  照明装置
６  コンセント
６０  プラグ差込部
６１  コンセント本体
６２  コンセントプレート
６５  窓部
６６  突出部分
【図１】
2019063258.tif 000003
【図２】
2019063258.tif 000004
【図３】
2019063258.tif 000005
【図４】
2019063258.tif 000006
【図５】
2019063258.tif 000007